(57)【特許請求の範囲】
【請求項１】
溶鋼排出経路を上下方向に分割して接合する目地部を一又は複数箇所に備えた溶鋼排出用のノズル構造体であって、
前記の上下方向に分割したノズル構造体の少なくとも一つのノズルは、操業中に水平方向にスライドすることが可能となっており、
当該ノズル構造体の内孔面に、耐火物から成る内孔スリーブが、少なくとも前記操業中に水平方向にスライドすることが可能なノズルの上方又は下方のノズル間の目地部を含んで上下方向に跨ぐように設置されている、ノズル構造体。
【請求項２】
前記内孔スリーブは接着材を介して前記内孔面に設置されている、請求項１に記載のノズル構造体。
【請求項３】
前記内孔スリーブの内孔側の上端部は、曲面又は傾斜面である、請求項１又は請求項２に記載のノズル構造体。
【請求項４】
前記一又は複数の目地部に対応する水平位置の前記内孔スリーブの外周に、一又は複数の非連続の凹部若しくは連続した溝部を設置した、請求項１から請求項３のいずれかに記載のノズル構造体。
【請求項５】
前記一又は複数の非連続の凹部若しくは連続した溝部は、前記目地部から下方のノズルの摺動方向又は解体除去のための加圧方向の前後のいずれか若しくは両方の面に相対的に多く配置した、請求項４に記載のノズル構造体。
【請求項６】
前記内孔スリーブを成す耐火物はノズル構造体本体の耐火物よりも難付着性が高い、請求項１から請求項５のいずれかに記載のノズル構造体。
【請求項７】
前記内孔スリーブは、ＣａＯ成分を約１５質量％以上、残部にＭｇＯを含有し、ＣａＯ／ＭｇＯ質量比が０．１以上１．５以下の耐火物から成る、請求項６に記載のノズル構造体。
【発明の詳細な説明】
【技術分野】
【０００１】
本発明は溶鋼排出用のノズル構造体に関する。
【背景技術】
【０００２】
例えばタンディッシュから溶鋼を排出するための、その溶鋼導入口から鋳型までの溶鋼排出経路としてのノズル構造体は、その溶鋼排出方向（上下方向）に複数に分割した耐火物部材から構成されることがある。これは溶鋼排出における流量制御機能をこのノズル構造体の一部で動的に行うため、又は溶鋼排出経路の部位ごとに異なる損傷等に対し耐用性のバランスを最適化する、若しくは部分的な交換を可能にするためである。
【０００３】
このような複数の耐火物部材を組み合わせたノズル構造体では、その耐火物部材間には必然的に目地部が存在することになる。これらの目地部では、スライディングノズル等の摺動を伴う部分に関しては目地材やシール材は使用できないため、いわゆる空目地での接触構造となり、他の摺動がない部分ではモルタルやシール材を設置することが多い。しかし、これらの目地部からは、目地材等の有無による程度の差はあるものの、このノズル構造体の内孔に外気を引き込みやすい（図１３参照）。外気を引き込んだ際は内孔へのアルミナ介在物等の付着ないしは閉塞、酸化物の増加、その他の鋼の品質低下等を招来する。
【０００４】
この外気引き込みの対策として、例えば図１４に示すように、流量制御機能をノズルではなくその上部に設置したストッパー７で行い、ノズル部分は目地のない一体型の浸漬ノズルとする構造が採用されることもある。しかし、鋼の連続鋳造においては多連鋳化等により鋳造時間が長時間に及ぶ傾向があり、浸漬ノズル等のノズルの一部を交換するために、複数の分割した耐火物部材から構成する構造も依然として必要とされる場合があり、このような場合には目地部が依然として存在することになる。
【０００５】
この目地部に関する外気引き込みの対策として、特許文献１には、「鋳造用ノズル耐火物と該耐火物の外周に配置されたケースとの間に形成された隙間に、前記耐火物の外周または内周の少なくとも一部を覆うように金属パイプを配置し、該金属パイプに複数のガス吹き出し孔またはスリットを設け、金属パイプの少なくとも一端よりガスを導入して、耐火物の周囲近傍をガスシールすることを特徴とする鋳造用ノズル。」が開示されている。
【先行技術文献】
【特許文献】
【０００６】
【特許文献１】特開平１１−１０４８１４号公報
【発明の概要】
【発明が解決しようとする課題】
【０００７】
前記の特許文献１では、ガス（不活性ガス）を導入してガスシールするので、外気すなわち溶鋼にとって特に有害な酸素を引き込むリスクは減少させることができるが、ガス（不活性ガス）は依然として引き込む。ガス（不活性ガス）を引き込んだ場合は溶鋼や耐火物の酸化に伴う諸問題は減少するものの、鋼中にピンホール等の品質不良を招来する危険性は残る。
【０００８】
本発明が解決しようとする課題は、複数の耐火物部材から構成されて目地部が存在する溶鋼排出用のノズル構造体において、そのシール性を向上させることにある。
【課題を解決するための手段】
【０００９】
本発明は次の１〜７のノズル構造体を提供する。
１．溶鋼排出経路を上下方向に分割して接合する目地部を一又は複数箇所に備えた溶鋼排出用のノズル構造体であって、
前記の上下方向に分割したノズル構造体の少なくとも一つのノズルは、操業中に水平方向にスライドすることが可能となっており、
当該ノズル構造体の内孔面に、耐火物から成る内孔スリーブが、少なくとも前記操業中に水平方向にスライドすることが可能なノズルの上方又は下方のノズル間の目地部を含んで上下方向に跨ぐように設置されている、ノズル構造体。
２．前記内孔スリーブは接着材を介して前記内孔面に設置されている、前記１に記載のノズル構造体。
３．前記内孔スリーブの内孔側の上端部は、曲面又は傾斜面である、前記１又は２に記載のノズル構造体。
４．前記一又は複数の目地部に対応する水平位置の前記内孔スリーブの外周に、一又は複数の非連続の凹部若しくは連続した溝部を設置した、前記１から前記３のいずれかに記載のノズル構造体。
５．前記一又は複数の非連続の凹部若しくは連続した溝部は、前記目地部から下方のノズルの摺動方向又は解体除去のための加圧方向の前後のいずれか若しくは両方の面に相対的に多く配置した、前記４に記載のノズル構造体。
６．前記内孔スリーブを成す耐火物はノズル構造体本体の耐火物よりも難付着性が高い、前記１から前記５のいずれかに記載のノズル構造体。
７．前記内孔スリーブは、ＣａＯ成分を約１５質量％以上、残部にＭｇＯを含有し、ＣａＯ／ＭｇＯ質量比が０．１以上１．５以下の耐火物から成る、前記６に記載のノズル構造体。
【発明の効果】
【００１０】
本発明によれば、ノズル構造体の内孔面に、目地部の少なくとも一を上下方向に跨ぐように内孔スリーブを設置したことで、ノズル構造体のシール性が向上する。そして、全ての目地部を上下方向に跨ぐように内孔スリーブを設置すれば、目地部のない一体的な構造のノズルと同程度のシール性を得ることができる。
【００１１】
また、内孔スリーブの外周に凹部や溝部を設けることで、ノズル構造体の特定の場所で折って取り外す等の場合にも、シール性を害することなく安全に、また所定の部位で正確に分離することができ、その後に交換品を設置する場合にも、接合面での凹凸等が小さく接合の精度を高く維持して、しかも容易に取り外しや取り付け作業を行うことができる。
【００１２】
さらには、内孔面の損傷やアルミナ介在物の付着等に対する特性が異なる、様々な材質・物性を備える耐火物を自由にかつ容易に選択して適用することが可能となる。ひいては、鋼の品質低下を抑制することができる。
【図面の簡単な説明】
【００１３】
【図１】本発明のノズル構造体の一例のイメージ図で、（ａ）は上ノズル、上プレート、中プレート、下プレート、下ノズル及び浸漬ノズルから構成される例、（ｂ）上ノズル及び浸漬ノズルから構成される例である。
【図２】本発明のノズル構造体において、溶鋼排出経路を上下方向に分割して接合する目地部と内孔スリーブの目地部とが一致していない例を示すイメージ図である。
【図３】相対的に下方に設置するノズル（耐火物部材）の内孔面上端部に切り欠き、すなわち内孔側に向けて下方に傾斜又は曲面を有する例を示すイメージ図である。
【図４】本発明の内孔スリーブの一例を示すイメージ図で、（ａ）は上面図、（ｂ）は縦断面図である。
【図５】本発明の内孔スリーブの内側（内孔側）の上端を曲面又は傾斜面とした例を示す縦断面のイメージ図である。
【図６】本発明のノズル構造体において、ノズル構造体の内孔面と、その内側に設置した内孔スリーブの内孔面とが面一である例を示すイメージ図である。
【図７】本発明のノズル構造体において、ノズル構造体の内孔面と、その内側に設置した内孔スリーブの内孔面とが、下端部のみ面一である例を示すイメージ図である。
【図８】本発明の内孔スリーブの外周の一部に凹部又は溝部を一又は分割して設けた例を示す縦断面のイメージ図である。
【図９】図８の外周の一部に凹部を分割して４箇所に設けた例を示す、図８のＡ−Ａ断面のイメージ図である。
【図１０】図８の外周の一部に円周方向に連続する溝部を１本設けた例を示す、図８のＡ−Ａ断面のイメージ図である。
【図１１】図１（ａ）のノズル構造体において、浸漬ノズルを上端の接合面の位置で内孔スリーブを折って取り外す場合、又は内孔スリーブを溶鋼導入口から浸漬ノズル上端面までの領域に設置した場合のイメージ図である。
【図１２】図２の要領で浸漬ノズルを取り外した後にさらに浸漬ノズルを設置した場合のイメージ図である。
【図１３】従来の上ノズル、３枚構成のスライディングノズルプレート、下ノズル及び浸漬ノズルから構成された、目地部を備えたノズル構造体の例と、目地部から外気を引き込む場合のイメージを示す図である。
【図１４】目地部のない一体的な構造のノズル（浸漬ノズル）の例を示すイメージ図である。
【発明を実施するための形態】
【００１４】
本発明のノズル構造体の典型的かつ分割数すなわち目地数が最も多い形態は、上ノズル、３枚構成のスライディングノズルプレート（上プレート、中プレート、下プレート）、中間ノズル、下ノズル、浸漬ノズル等の複数の耐火物部材から構成される場合である。しかし、この形態に限定する必要はなく、前記各耐火物のいずれか２以上の組み合わせによる形態のいずれでもよい。例えば、図１（ａ）は、上ノズル１、上プレート２ａ、中プレート２ｂ、下プレート２ｃ、下ノズル３及び浸漬ノズル４から構成される例、図１（ｂ）は、上ノズル１及び浸漬ノズル４から構成される例である。すなわち、本発明のノズル構造体は、内孔５を有する溶鋼排出経路を上下方向に分割して接合する目地部を一又は複数箇所に備えた溶鋼排出用のノズル構造体である。そして、本発明のノズル構造体には、当該ノズル構造体の内孔面に、耐火物から成る内孔スリーブ６が前記目地部の少なくとも一を上下方向に跨ぐように設置されている。
【００１５】
この内孔スリーブ６は、シール性をより確実にし、さらには高めるためには、図１（ａ）及び図１（ｂ）に示すように、上下方向に分割しないで一体的な構造とし、全ての目地部を上下方向に跨ぐように設置することが最も好ましい。ただし、内孔スリーブは、目地部の少なくとも一を上下方向に跨ぐように設置すれば、シール性の向上に寄与する。
【００１６】
また、内孔スリーブ６は、図２に示すように上下方向に複数個に分割することも可能であるが、このような分割構造にする場合は、その分割部分すなわち目地部分Ａ１は、ノズル構造体本体である溶鋼排出経路の分割部分すなわち目地部Ｂ１，Ｂ２と一致しないようにする必要がある。言い換えると、本発明において内孔スリーブが目地部を上下方向に跨ぐとは、当該目地部に対応する内孔スリーブの上下方向の水平位置では内孔スリーブが上下方向に分割されていない連続体であることを意味する。なお、ノズル構造体外部からの外気(ガス)の引き込みを効果的に抑制するためには、内孔スリーブ６の目地部分Ａ１とノズル構造体本体の目地部Ｂ１，Ｂ２との上下方向の間隔（長さ）Ｌは、経験上、内孔スリーブ６の厚さ以上であることが好ましい。
【００１７】
また、内孔スリーブを設置する場合、ノズル構造体を構成する各ノズル（耐火物部材）の水平方向の位置が所定の位置に正確に存在することが必要である。このノズルごとの相対的な水平位置は、そのセット装置等によって決定されるが、例えば図３に示すように、相対的に下方に設置されるノズルの内孔面上端部には、上方のノズルと下方のノズルとの水平方向の相対的な精度以上の長さの切り欠き、すなわち内孔側に向けて下方に傾斜又は曲面を有する部分を設けておくことが好ましい。これにより、ノズル構造体の内孔に上方から内孔スリーブを装入する際にスムーズに設置することができる。
【００１８】
内孔スリーブ６の形状は、図４に示すように典型的には円筒状であるが、その内孔側の上端部は、図５に示すように曲面又は傾斜面として、できる限り溶鋼の排出方向に対して小さな角度又はなだらかに漸増する形状にすることが好ましい。溶鋼の排出方向に対して例えば水平方向の面のように大きな角度を有する段差構造とすると、その部分で溶鋼流が大きく乱れ、介在物の付着、内孔スリーブの局部損傷等を招来するおそれがある。
【００１９】
また、内孔スリーブ６の内孔面６ａは、図６に示すようにノズル構造体の内孔面５ａと面一にすることができる。これにより内孔スリーブ６の上端部及び下端部における内孔面の段差部をなくすことができる。
【００２０】
図７に示すように内孔スリーブ６の下端部のみで内孔面の段差部をなくすようにすることもできる。この下端部での段差部もその部分で渦流等の溶鋼流の乱れを生じる基点となる場合がある。このような場合に内孔スリーブ６の下端部のみで内孔面の段差部をなくすだけでも、溶鋼流の乱れが生じるのを抑制できる。また、内孔スリーブ６の下端部をノズル構造体の内孔面５ａと同じ径（面一）にすることで、内孔スリーブ６の下方への落下やズレを防止することもできる。なお、内孔スリーブ６の下方への落下やズレを防止するために、内孔スリーブ６の下端部直下付近のノズル構造体の内孔面５ａに突状部や傾斜部を備えてもよい。
【００２１】
内孔スリーブ６の外周には、図８に示すように一又は複数の非連続の凹部６ｂ又は連続した溝部６ｃを設けることができる。例えば、図９の例では内孔スリーブ６の外周の一部に凹部６ｂを分割して４箇所に設け、図１０の例では内孔スリーブ６の外周の一部に円周方向に連続する溝部６ｃを１本設けている。これらの凹部６ｂ又は溝部６ｃは、ノズル構造体本体の目地部に対応する水平位置の内孔スリーブ６の外周に設ける。その理由は次のとおりである。まず、緊急時又はノズル構造体の耐火物部材（部品）の一部を交換する等のために、例えば図１１に示すように浸漬ノズル４をその上端の接合面の位置で取り外す場合、内孔スリーブ６が内側に設置されていると内孔スリーブ６が不規則な位置で複雑な形態で破壊する可能性があり、また破壊自体がし難くなる可能性がある。そこで、前述のようにノズル構造体本体の目地部に対応する水平位置（図１１の場合は浸漬ノズル４の上端部に相当する水平位置）の内孔スリーブ６の外周に凹部６ｂ又は溝部６ｃを設けることで、内孔スリーブ６を破壊しやすくし、さらには希望する所定の位置から高い精度で破壊することができる（図１２参照）。
【００２２】
なお、前記の「緊急時」とはストッパー制御に異状を生じてストッパー以外の場所でノズルを閉じて溶鋼流を停止する場合、例えばノズル構造体の一部がスライド可能になっていて、そのスライドにより内孔スリーブをそのスライド部で折って分離する場合等が挙げられる。また、前記の「ノズル構造体の耐火物部材（部品）の一部を交換する」とは、例えば浸漬ノズルを、水平方向にスライド、又は斜め下方に機械的に荷重を加えて内孔スリーブを破壊して浸漬ノズルを取り外し、その後再度他の浸漬ノズルを水平方向にスライドし、又は下方から装着する場合が挙げられる。これらのいずれの場合も、内孔スリーブは容易かつ凹凸の少ない高精度で破壊されることが好ましい。
【００２３】
これら凹部６ｂ又は溝部６ｃは、前記ノズル構造体本体の目地部から下方のノズルの摺動方向又は解体除去のための加圧方向の前後のいずれか又は両方の面に相対的に多く配置することが好ましい。摺動方向又は加圧方向の外周が応力の基点になるからである。
【００２４】
また、内孔スリーブ６はモルタル等の接着材を介してノズル構造体の内孔面に設置されていることが好ましい。内孔スリーブ６を設置することでガスを引き込む危険性は軽減するが、接着材を使用しない場合はガスが通過しない程度に接合面の面精度を高める等の工夫が必要になる。これはコスト面からも現実的ではない。
【００２５】
接着剤（モルタル）はノズル構造体の組成に応じて、それらに溶融等を生じさせない材質等、一般的にノズル構造体用に使用されている材質であれば特に制限なく使用できる。なお、本発明者らの経験上の知見では、例えば見掛け気孔率が、約１０００℃〜１４００℃の程度の熱処理後で概ね３０％以下程度のモルタルであれば、ガス等が内孔まで通過することはない。
【００２６】
一方、内孔スリーブ６の内孔面におけるアルミナ等の非金属介在物や地金の付着ないしは成長は、鋳造中の溶鋼流の乱れや鋳造速度低下等の操業面での、鋼の品質や生産性に悪影響を及ぼす。さらには浸漬ノズルを始めとするノズルの解体又は取り外しが困難になる。そこで、内孔スリーブ６を成す耐火物はノズル構造体本体の耐火物よりも難付着性が高い材質にすることで、内孔面へのアルミナ等介在物の付着を軽減することができ、さらには地金の付着ないしは成長を軽減することができる。難付着性が高い材質としては、例えばＣａＯ成分を約１５質量％以上、残部にＭｇＯ、ＺｒＯ２、炭素等の耐火成分を含み、ＣａＯ／ＭｇＯ質量比が０．１以上１．５以下である耐火物、その他の溶鋼や溶鋼中成分と反応して表面を滑らかにする化学組成を含有・調整した材質、又は表面の平滑度を高めた材質等を挙げることができる。
【００２７】
なお、以上の実施形態では、タンディッシュから鋳型へ溶鋼を排出するためのノズル構造体を例に説明したが、本発明の適用範囲はタンディッシュ用に限定されず、溶鋼排出用の他のノズル構造体に適用することもできる。
【符号の説明】
【００２８】
１  上ノズル
２ａ  上プレート
２ｂ  中プレート
２ｃ  下プレート
３  下ノズル
４  浸漬ノズル
５  内孔
５ａ  内孔面
６  内孔スリーブ
６ａ  内孔面
６ｂ  凹部
６ｃ  溝部
７  ストッパー
【図１】
0006663230.tif 000002
【図２】
0006663230.tif 000003
【図３】
0006663230.tif 000004
【図４】
0006663230.tif 000005
【図５】
0006663230.tif 000006
【図６】
0006663230.tif 000007
【図７】
0006663230.tif 000008
【図８】
0006663230.tif 000009
【図９】
0006663230.tif 000010
【図１０】
0006663230.tif 000011
【図１１】
0006663230.tif 000012
【図１２】
0006663230.tif 000013
【図１３】
0006663230.tif 000014
【図１４】
0006663230.tif 000015